【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
複数の通信局がそれぞれ自律分散制御的に動作し、複数の通信チャネルを利用してネットワークを形成する通信システムであって、
各通信局はそれぞれ、少なくともビーコン信号の送受信時刻に関する時刻情報と、使用する通信チャネルに関する通信チャネル情報とを管理し、
ビーコン信号又はデータの送信を試みようとする送信通信局は、前記時刻情報及び前記通信チャネル情報に基づいて使用する通信チャネルを切り替え、ビーコン信号又はデータの送信し、
ビーコン信号又はデータの受信を試みようとする受信通信局は、前記時刻情報及び前記通信チャネル情報に基づいて使用する通信チャネルを切り替え、ビーコン信号又はデータを受信する、
ことを特徴とする通信システム。
【請求項２】
複数の通信局がそれぞれ自律分散制御的に動作し、複数の通信チャネルを利用してネットワークを形成する通信方法であって、
各通信局はそれぞれ、少なくともビーコン信号の送受信時刻に関する時刻情報と、使用する通信チャネルに関する通信チャネル情報とを管理し、
ビーコン信号又はデータの送信を試みようとする送信通信局は、前記時刻情報及び前記通信チャネル情報に基づいて使用する通信チャネルを切り替え、ビーコン信号又はデータの送信し、
ビーコン信号又はデータの受信を試みようとする受信通信局は、前記時刻情報及び前記通信チャネル情報に基づいて使用する通信チャネルを切り替え、ビーコン信号又はデータを受信する、
ことを特徴とする通信方法。
【請求項３】
通信局は、使用する通信チャネルにおいて予約通信又は優先通信が可能であり、予約通信又は優先通信における送受信時刻を前記時刻情報として管理する、
ことを特徴とする請求項２に記載の通信方法。
【請求項４】
複数の通信チャネルが用意された通信環境下で自律分散的にネットワーク動作を行なう通信装置であって、
通信チャネル上で無線データを送受信する通信手段と、
利用する通信チャネルを設定し、前記通信手段におけるデータ送受信を制御する通信制御手段と、
ビーコン信号を生成するビーコン生成手段と、
周辺局から受信したビーコン信号を解析するビーコン解析手段を備え、
前記通信制御手段は、
少なくともビーコン信号の送受信時刻に関する時刻情報と、使用する通信チャネルに関する通信チャネル情報とを管理し、
ビーコン信号又はデータの送信時には、前記時刻情報及び前記通信チャネル情報に基づいて使用する通信チャネルを切り替え、ビーコン信号又はデータの送信を試み、
ビーコン信号又はデータの受信時には、前記時刻情報及び前記通信チャネル情報に基づいて使用する通信チャネルを切り替え、ビーコン信号又はデータを受信する、
ことを特徴とする通信装置。
【請求項５】
使用する通信チャネルにおいて予約通信又は優先通信が可能であり、
前記通信制御手段は、予約通信又は優先通信における送受信時刻を前記時刻情報として管理する、
ことを特徴とする請求項４に記載の通信装置。
【請求項６】
前記ビーコン生成手段は、前記時刻情報及び前記通信チャネル情報をビーコン信号に記載し、
前記通信制御手段は、他の通信局から受信したビーコン信号に記載されている前記時刻情報及び前記通信チャネル情報に基づいて、他の通信局が通信を行なっている時刻及び通信チャネルを把握する、
ことを特徴とする請求項４に記載の通信装置。
【請求項７】
前記通信制御手段は、前記の把握した他の通信局が通信を行なっている時刻及び通信チャネルに基づいて、当該通信装置がビーコン信号を送信する時刻、データ通信を行なう時刻、使用する通信チャネルを決定する、
ことを特徴とする請求項６に記載の通信装置。
【請求項８】
前記通信制御手段は、前記ネットワークに新規参入したときに、
他の通信局から受信したビーコン信号に記載されている前記時刻情報及び前記通信チャネル情報を重ね合わせて、他の通信局において既に使用されている時間帯に関する周辺局使用時間帯情報を作成し、
該使用時間帯情報に基づいて、当該通信装置のビーコン信号の送信時刻及びビーコン信号の送信に使用する通信チャネルを決定する、
ことを特徴とする請求項６に記載の通信装置。
【請求項９】
前記通信制御手段は、前記ネットワークに新規参入したときに、前記周辺局使用時間帯情報に基づいて、他の通信局におけるビーコン信号の送受信時刻との間隔が最大となる時刻を当該通信装置のビーコン信号の送信時刻として決定する、
ことを特徴とする請求項８に記載の通信装置。
【請求項１０】
前記通信制御手段は、前記ネットワークに新規参入したときに、
前記周辺局使用時間帯情報を通信チャネル毎の周辺局使用時間帯情報に分割し、
他の通信局におけるビーコン信号の送受信時刻との間隔が最大となる時刻を通信チャネル毎に評価し、ビーコン信号が送受信される間隔が最大となる通信チャネルを当該通信装置のビーコン信号を送信する通信チャネルとして決定する、
ことを特徴とする請求項９に記載の通信装置。
【請求項１１】
前記通信制御手段は、前記の把握した他の通信局が通信を行なっている時刻及び通信チャネルに基づいて、当該通信装置が予約通信又は優先通信を行なう時刻、並びに予約通信又は優先通信に使用する通信チャネルを決定する、
ことを特徴とする請求項６に記載の通信装置。
【請求項１２】
前記通信制御手段は、特定の通信相手とデータ通信を行なおうとするときに、
他の通信局から受信したビーコン信号に記載されている前記時刻情報及び前記通信チャネル情報を通信チャネル毎に重ね合わせて、通信チャネル毎の周辺局使用時間帯情報を作成し、
前記通信相手のすべての通信チャネルにおける時刻情報を前記の通信チャネル毎の周辺局使用時間帯情報に重ね合わせて、前記通信相手との通信に利用可能な時間帯に関する利用可能時間帯情報を通信チャネル毎に求め、
前記の通信チャネル毎の利用可能時間帯情報に基づいて、前記通信相手との通信に使用する通信チャネル及び通信を行なう時間帯を決定する、
ことを特徴とする請求項１１に記載の通信装置。
【請求項１３】
前記通信制御手段は、送信予定の通信チャネルにおいて、他の通信局のビーコン信号の送受信時刻に関する時刻情報と、送信先の通信局の他の通信チャネルでのビーコン信号の送受信時刻に関する時刻情報に基づいて、データを送信することができる最大の時間である最大送信可能時間を把握した後にデータの送信を試みる、
ことを特徴とする請求項６に記載の通信装置。
【請求項１４】
前記通信環境下では複数の通信システムが存在し、各通信システムでは、各通信局は他の通信システムと共通のプリアンブル信号を付加したパケットを送信しており、
前記通信手段は、各通信システムにおいて通信局は共通のプリアンブルを設けたパケットを送信し、
前記通信制御手段は、受信したパケットのプリアンブル以降の情報が誤ることで他システムからのパケットが発生したことを検出し、他システムからのパケットの発生頻度に基づいて使用している通信チャネルを変更する、
ことを特徴とする請求項４に記載の通信装置。
【請求項１５】
前記通信制御手段は、他システムからのパケットの発生頻度とともに、各通信チャネルでの受信時間を併せて記録し、受信時間が所定時間を超えたときの誤り数を通信チャネルの変更の判断に用いる有効値とする、
ことを特徴とする請求項１４に記載の通信装置。
【請求項１６】
前記通信制御手段は、データを受信するときに干渉を検出した場合、干渉が生じている通信チャネルを使用してデータを送信する通信局に対し、ビーコン信号の送信時刻及び使用する通信チャネルの変更を要求する、
ことを特徴とする請求項４に記載の通信装置。
【請求項１７】
前記通信制御手段は、データを送信するときに干渉を検出した場合、データ送信先の通信局からの応答がない回数を測定し、応答がない頻度が所定値を超えたことに応答して、ビーコン信号の送信時刻及び使用する通信チャネルの変更を要求する、
ことを特徴とする請求項４に記載の通信装置。
【請求項１８】
複数の通信チャネルが用意された通信環境下で自律分散的なネットワーク動作を行なうための通信制御方法であって、
ビーコン信号を生成するビーコン生成ステップと、
周辺局から受信したビーコン信号を解析するビーコン解析ステップと、
少なくともビーコン信号の送受信時刻に関する時刻情報と、使用する通信チャネルに関する通信チャネル情報とを管理するステップと、
ビーコン信号又はデータの送信時において、前記時刻情報及び前記通信チャネル情報に基づいて使用する通信チャネルを切り替え、ビーコン信号又はデータの送信を試みるステップと、
ビーコン信号又はデータの受信時において、前記時刻情報及び前記通信チャネル情報に基づいて使用する通信チャネルを切り替え、ビーコン信号又はデータを受信するステップと、
を具備することを特徴とする通信制御方法。
【請求項１９】
複数の通信チャネルが用意された通信環境下で自律分散的なネットワーク動作を行なうための処理をコンピュータ上で実行するようにコンピュータ可読形式で記述されたコンピュータ・プログラムであって、前記コンピュータに対し、
ビーコン信号を生成するビーコン生成手順と、
周辺局から受信したビーコン信号を解析するビーコン解析手順と、
少なくともビーコン信号の送受信時刻に関する時刻情報と、使用する通信チャネルに関する通信チャネル情報とを管理する手順と、
ビーコン信号又はデータの送信時において、前記時刻情報及び前記通信チャネル情報に基づいて使用する通信チャネルを切り替え、ビーコン信号又はデータの送信を試みる手順と、
ビーコン信号又はデータの受信時において、前記時刻情報及び前記通信チャネル情報に基づいて使用する通信チャネルを切り替え、ビーコン信号又はデータを受信する手順と、
を実行させることを特徴とするコンピュータ・プログラム。
【手続補正２】
【補正対象書類名】明細書
【補正対象項目名】００２９
【補正方法】変更
【補正の内容】
【００２９】
本発明は、上述したような技術的課題を勘案したものであり、その主な目的は、自律分散制御方式を採用して無線通信を行なう際に、キャリア・センスによるアクセス制御方式を用いつつ、複数の通信チャネルを同時に使用することを可能とし、通信容量の増大を図ることができる、優れた通信システム及び通信方法、並びに通信装置及び通信制御方法、並びにコンピュータ・プログラムを提供することにある。
【手続補正３】
【補正対象書類名】明細書
【補正対象項目名】００３０
【補正方法】変更
【補正の内容】
【００３０】
本発明の第１の側面は、複数の通信局がそれぞれ自律分散制御的に動作し、複数の通信チャネルを利用してネットワークを形成する通信システムであって、
各通信局はそれぞれ、少なくともビーコン信号の送受信時刻に関する時刻情報と、使用する通信チャネルに関する通信チャネル情報とを管理し、
ビーコン信号又はデータの送信を試みようとする送信通信局は、前記時刻情報及び前記通信チャネル情報に基づいて使用する通信チャネルを切り替え、ビーコン信号又はデータの送信し、
ビーコン信号又はデータの受信を試みようとする受信通信局は、前記時刻情報及び前記通信チャネル情報に基づいて使用する通信チャネルを切り替え、ビーコン信号又はデータを受信する、
ことを特徴とする通信システムである。
【手続補正４】
【補正対象書類名】明細書
【補正対象項目名】００３３
【補正方法】変更
【補正の内容】
【００３３】
ここで、ビーコン信号には、当該ビーコン信号を送信する無線通信局が把握している時刻情報及び通信チャネル情報が記述されている。したがって、新規にネットワークに参入する無線通信局は、他の無線通信局から受信したビーコン信号に記述されている時刻情報及び通信チャネル情報に基づいて、他の無線通信局の状況を適切に把握し、他の無線通信局が通信を行なっている時刻と通信チャネルを把握することができる。
【手続補正５】
【補正対象書類名】明細書
【補正対象項目名】００３７
【補正方法】変更
【補正の内容】
【００３７】
また、新規にネットワークに参入する無線通信局は、作成した周辺局使用時間帯情報に基づいて、ビーコン信号が送受信される間隔が最大である時刻を、自己がビーコン信号を送信する送信時刻として選択する。さらに、新規にネットワークに参入する無線通信局は、作成した周辺局使用時間帯情報を通信チャネル毎の周辺局使用時間帯情報に分割し、選択したビーコン信号の送信時刻を通信チャネル毎に評価し、ビーコン信号が送受信される間隔が最大である通信チャネルを、自己がビーコン信号を送信する通信チャネルとして選択する。
【手続補正６】
【補正対象書類名】明細書
【補正対象項目名】００４９
【補正方法】変更
【補正の内容】
【００４９】
また、本発明の第２の側面は、複数の通信局がそれぞれ自律分散制御的に動作し、複数の通信チャネルを利用してネットワークを形成する通信方法であって、
各通信局はそれぞれ、少なくともビーコン信号の送受信時刻に関する時刻情報と、使用する通信チャネルに関する通信チャネル情報とを管理し、
ビーコン信号又はデータの送信を試みようとする送信通信局は、前記時刻情報及び前記通信チャネル情報に基づいて使用する通信チャネルを切り替え、ビーコン信号又はデータの送信し、
ビーコン信号又はデータの受信を試みようとする受信通信局は、前記時刻情報及び前記通信チャネル情報に基づいて使用する通信チャネルを切り替え、ビーコン信号又はデータを受信する、
ことを特徴とする通信方法である。
【手続補正７】
【補正対象書類名】明細書
【補正対象項目名】００５１
【補正方法】変更
【補正の内容】
【００５１】
また、本発明の第３の側面は、複数の通信チャネルが用意された通信環境下で自律分散的にネットワーク動作を行なう通信装置であって、
通信チャネル上で無線データを送受信する通信手段と、
利用する通信チャネルを設定し、前記通信手段におけるデータ送受信を制御する通信制御手段と、
ビーコン信号を生成するビーコン生成手段と、
周辺局から受信したビーコン信号を解析するビーコン解析手段を備え、
前記通信制御手段は、
少なくともビーコン信号の送受信時刻に関する時刻情報と、使用する通信チャネルに関する通信チャネル情報とを管理し、
ビーコン信号又はデータの送信時には、前記時刻情報及び前記通信チャネル情報に基づいて使用する通信チャネルを切り替え、ビーコン信号又はデータの送信を試み、
ビーコン信号又はデータの受信時には、前記時刻情報及び前記通信チャネル情報に基づいて使用する通信チャネルを切り替え、ビーコン信号又はデータを受信する、
ことを特徴とする通信装置である。
【手続補正８】
【補正対象書類名】明細書
【補正対象項目名】００５３
【補正方法】変更
【補正の内容】
【００５３】
また、本発明の第４の側面は、複数の通信チャネルが用意された通信環境下で自律分散的なネットワーク動作を行なうための処理をコンピュータ・システム上で実行するようにコンピュータ可読形式で記述されたコンピュータ・プログラムであって、
ビーコン信号を生成するビーコン生成ステップと、
周辺局から受信したビーコン信号を解析するビーコン解析ステップと、
少なくともビーコン信号の送受信時刻に関する時刻情報と、使用する通信チャネルに関する通信チャネル情報とを管理するステップと、
ビーコン信号又はデータの送信時において、前記時刻情報及び前記通信チャネル情報に基づいて使用する通信チャネルを切り替え、ビーコン信号又はデータの送信を試みるステップと、
ビーコン信号又はデータの受信時において、前記時刻情報及び前記通信チャネル情報に基づいて使用する通信チャネルを切り替え、ビーコン信号又はデータを受信するステップと、
を具備することを特徴とするコンピュータ・プログラムである。
【手続補正９】
【補正対象書類名】明細書
【補正対象項目名】００５９
【補正方法】変更
【補正の内容】
【００５９】
図１には、本実施形態に係る通信システムにおいて端末動作を行なう無線通信装置の構成を模式的に示している。図１に示すように、各端末は、通信手段として、アンテナ１１が共用器１２を介して送信処理部１４と受信処理部１３とに接続されるとともに、送信処理部１４及び受信処理部１３がベースバンド部１５に接続されて構成される。
【手続補正１０】
【補正対象書類名】明細書
【補正対象項目名】００６０
【補正方法】変更
【補正の内容】
【００６０】
送信処理部１４は、ベースバンド部１５から供給されたベースバンド信号に対してＡ／Ｄ変換や変調等の各種処理を施し、さらに例えばＲＦ（ＲａｄｉｏＦｒｅｑｕｅｎｃｙ）信号に変換した上で、このＲＦ信号を共用器１２へと供給する。なお、この送信処理部１４における送信処理方式としては、無線ＬＡＮに適用可能な比較的近距離の通信に適した各種方式を適用することができ、具体的には、いわゆるＵＷＢ（Ｕｌｔｒａ  Ｗｉｄｅｂａｎｄ）方式、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）方式、又はＣＤＭＡ（Ｃｏｄｅ  Ｄｉｖｉｓｉｏｎ  Ｍｕｌｔｉｐｌｅ  Ａｃｃｅｓｓ）方式などを適用することができる。一方、受信処理部１３は、受信した信号をＲＦ信号に変換し、さらにＤ／Ａ変換や復調等の各種処理を施して得られたベースバンド信号を制御手段であるベースバンド部１５へと供給する。
【手続補正１１】
【補正対象書類名】明細書
【補正対象項目名】００７９
【補正方法】変更
【補正の内容】
【００７９】
続いて、新規参入端末は、ステップＳ２において、作成した周辺局使用時間帯情報に基づいて、ビーコン信号が送受信される間隔が最大である位置（相対時刻）を選択する。これは、すべての通信チャネルについての情報の論理和をとった結果、ビーコン信号が送受信されていない位置であれば、ビーコン信号を送信しても他のビーコン信号と衝突することはなく、また、ビーコン信号の送受信はできる限り分散させた方が望ましいことから、間隔が最大である位置を選択することにより、次回のビーコン信号までの時間が互いに最大化され、通信時間を公平に分割することができる、という考えに基づくものである。具体的には、新規参入端末は、図８（Ａ）に示した周辺局使用時間帯情報の場合には、７時刻目から８時刻目までが、ビーコン信号が送受信される間隔が最大であることから、同図（Ｂ）中太線部で示すように、８時刻目を選択する。
【手続補正１２】
【補正対象書類名】明細書
【補正対象項目名】００８０
【補正方法】変更
【補正の内容】
【００８０】
続いて、新規参入端末は、ステップＳ３において、ステップＳ１にて作成したすべての通信チャネルにおいて論理和をとった周辺局使用時間帯情報を通信チャネル毎の周辺局使用時間帯情報に分割し、選択したビーコン信号の送信時刻を通信チャネル毎に評価する。そして、新規参入端末は、ステップＳ４において、すべての通信チャネルについての評価を行なったか否かを判定する。
【手続補正１３】
【補正対象書類名】明細書
【補正対象項目名】００８２
【補正方法】変更
【補正の内容】
【００８２】
具体的には、新規参入端末は、図８（Ａ）に示した周辺局使用時間帯情報を通信チャネル毎に分割し、同図（Ｃ）に示すように、通信チャネルＣＨ１では６時刻目にビーコン信号が送受信され、通信チャネルＣＨ２では１時刻目及び５時刻目にビーコン信号が送受信され、通信チャネルＣＨ３では３時刻目にビーコン信号が送受信され、通信チャネルＣＨ４ではビーコン信号が送受信されないことを示す、４つの論理和からなる周辺局使用時間帯情報を作成する。そして、新規参入端末は、通信チャネル毎の評価の結果、ステップＳ２にて選択した８時刻目については、通信チャネルＣＨ４の間隔が最大であることから、同図（Ｃ）中太線部で示すように、当該通信チャネルＣＨ４を選択する。
【手続補正１４】
【補正対象書類名】明細書
【補正対象項目名】００８５
【補正方法】変更
【補正の内容】
【００８５】
マルチホップ・リンクでは、通信局には、お互いの存在を知らない隠れ端末が存在する。図９に示す例では、例えばＳｔａ１とＳｔａ３は隠れ端末の関係にある。しかし、Ｓｔａ１がＳｔａ２との通信のための通信時間帯及び通信チャネルの予約をする場合には、隠れ端末であり通信ができないＳｔａ３の送信時間帯及びチャネルと重ならないように配慮する必要がある。そこで、ここでも上記ビーコン信号送受信時刻の決定、報知と同様にして、ＮＢＯＩを利用する。
【手続補正１５】
【補正対象書類名】明細書
【補正対象項目名】００８６
【補正方法】変更
【補正の内容】
【００８６】
このような場合、各端末は、ビーコン送受信時刻のみでなく、予約した時間帯や通信チャネルもＮＢＯＩに記載して、ビーコンで報知する。そして、通信チャネルを予約する場合には、隣接端末のＮＢＯＩ情報から空き時間帯を探し、予約したらＮＢＯＩに記載する。
【手続補正１６】
【補正対象書類名】明細書
【補正対象項目名】０１０２
【補正方法】変更
【補正の内容】
【０１０２】
このような状況下で、図１３に示すように、時刻Ｔ１において、端末ＳＴＡ２が通信チャネルＣＨ１を用いて端末ＳＴＡ１に対してデータを送信するとともに、これを端末ＳＴＡ１が受信し、また、次の時刻Ｔ２において、端末ＳＴＡ３が通信チャネルＣＨ２を用いて端末ＳＴＡ４に対してデータを送信するとともに、これを端末ＳＴＡ４が受信するような状況を考える。なお、同図においては、“Ｂ”で示す部分がビーコン信号を送受信する時刻を示しており、このうち、斜線部で示すビーコン信号は、送信側であることを示している。さらに、同図においては、“Ｔｘ”で示す部分がデータを送信していることを示し、“Ｒｘ”で示す部分がデータを受信していることを示している。
【手続補正１７】
【補正対象書類名】明細書
【補正対象項目名】０１３７
【補正方法】変更
【補正の内容】
【０１３７】
また、この通信システムにおいては、新規参入端末が、他端末から受信したビーコン信号に記述されている時刻情報及び周波数情報をすべて重ね合わせて作成した周辺局使用時間帯情報に基づいて、ビーコン信号が送受信される間隔が最大である時刻を、自己がビーコン信号を送信する送信時刻として選択するとともに、作成した周辺局使用時間帯情報を通信チャネル毎の周辺局使用時間帯情報に分割し、選択したビーコン信号の送信時刻を通信チャネル毎に評価し、ビーコン信号が送受信される間隔が最大である通信チャネルを、自己がビーコン信号を送信する通信チャネルとして選択することにより、各端末によるビーコン信号の送受信をできる限り分散させることができ、次回のビーコン信号までの時間を互いに最大化することができる。したがって、この通信システムにおいては、各端末に対して通信時間を公平に分割することができ、最も通信容量が大きくなる通信チャネルを割り当てることが可能となる。
【手続補正１８】
【補正対象書類名】明細書
【補正対象項目名】０１４４
【補正方法】変更
【補正の内容】
【０１４４】
また、上述した実施の形態では、ＩＥＥＥ８０２．１１方式に類似する無線ＬＡＮに適用した場合について説明したが、本発明の要旨はこれに限定されるものではなく、自律分散制御方式を採用する無線通信システムであれば、いかなるものであっても同様に本発明を適用することができる。
【手続補正１９】
【補正対象書類名】明細書
【補正対象項目名】０１４８
【補正方法】変更
【補正の内容】
【０１４８】
【図１】図１は、本発明の実施の形態として示す通信システムが備える端末の構成を説明するブロック図である。
【図２】図２は、同通信システムにて送受信されるパケットのフォーマットを説明する図である。
【図３】図３は、同通信システムにて送受信されるビーコン信号のフォーマットを説明する図である。
【図４】図４は、ビーコン信号を送信した各端末に割り当てられる優先期間を説明する図である。
【図５】図５は、複数の端末から順次ビーコン信号が送信され、優先期間が割り当てられる様子を説明する図である。
【図６】図６は、ビーコン信号の内容を説明する図であって、同図（Ａ）は、各端末が把握した受信可能なビーコン信号の送受信時刻に関する相対時刻情報と、当該ビーコン信号が送信される通信チャネルの周波数情報との一例を示し、同図（Ｂ）は、ビーコン信号におけるＮＢＯＩフィールドに記述する情報として各端末が保有する内容の一例を示す図である。
【図７】図７は、新規参入端末が、自己が送信するビーコン信号の送信時刻と使用する通信チャネルを決定する際の一連の工程を説明するフローチャートである。
【図８】図８は、他端末からのビーコン信号に基づいて新規参入端末が作成した周辺局使用時間帯情報の一例を示す図であって、同図（Ａ）は、他端末が把握しているビーコン信号を送受信する相対時刻情報と、通信チャネルの周波数情報とをすべて重ね合わせて作成した論理和からなる周辺局使用時間帯情報の一例を示し、同図（Ｂ）は、同図（Ａ）に示す周辺局使用時間帯情報に基づいて、ビーコン信号が送受信される間隔が最大である位置を選択した様子を示し、同図（Ｃ）は、同図（Ａ）に示す周辺局使用時間帯情報を通信チャネル毎に分割し、ビーコン信号が送受信される間隔が最大である通信チャネルを選択した様子を示す図である。
【図９】図９は、マルチホップ・リンクの構成例を示した図である。
【図１０】図１０は、通信局Ｓｔａ１が、隣接端末ａ、ｂ、ｃから受信したビーコン信号に記載されているＮＢＯＩに基づいて予約通信を行なう時間帯を探索するための動作手順を説明するための図である。
【図１１】図１１は、通信局が予約通信を行なうことが許容されている場合において、新規参入端末が、自己が送信するビーコン信号の送信時刻と使用する通信チャネルを決定する際の一連の工程を示したフローチャートである。
【図１２】図１２は、同通信システムの具体例として、互いに隣接する端末まで電波が到達するように構成された４つの端末が存在する状況を説明する図である。
【図１３】図１３は、図１２に示す状況下で、各端末が、ビーコン信号とデータとの送受信を行なう様子を説明するタイミングチャートである。
【図１４】図１４は、図１２に示す各端末が把握しているビーコン信号の送受信時刻情報及び通信チャネルの周波数情報の一例を示す図であって、同図（Ａ）は、端末ＳＴＡ２が把握している情報の一例を示し、同図（Ｂ）は、端末ＳＴＡ１が把握している情報の一例を示し、同図（Ｃ）は、端末ＳＴＡ３が把握している情報の一例を示し、同図（Ｄ）は、端末ＳＴＡ４が把握している情報の一例を示す図である。
【図１５】図１５は、図１２に示す端末ＳＴＡ２、ＳＴＡ３が、ネットワークへの新規参入時に取得した他端末に関するビーコン信号の時刻情報及び通信チャネル情報から、自己が使用する通信チャネルの情報を取り出して論理和をとり、さらに、送信先の端末ＳＴＡ１の他の通信チャネルでの時刻情報についても論理和をとった結果得られた情報の一例を示す図であり、同図（Ａ）は、端末ＳＴＡ２が得た情報の一例を示し、同図（Ｂ）は、端末ＳＴＡ３が得た情報の一例を示す図である。
【図１６】図１６は、各端末が他システムの存在を検出するために、他システムのパケット発生回数（データ誤り数）と、各通信チャネルでの受信時間とを記録する様子を説明する図である。
【図１７】図１７は、各端末が、データ誤り数及び受信時間に基づいて、他システムの存在を検出する際の一連の工程を説明するフローチャートである。
【図１８】図１８は、干渉の検出を受信端末が行なった場合において、ビーコン信号の送信時刻及び使用する通信チャネルを変更する際の一連の工程を説明するフローチャートである。
【図１９】図１９は、ＩＥＥＥ８０２．１１方式の無線ＬＡＮのインフラストラクチャ・モード時における構成例と、ビーコン信号が送信される様子とを説明する図である。
【図２０】図２０は、ＩＥＥＥ８０２．１１方式の無線ＬＡＮのアドホック・モード時における構成例と、ビーコン信号が送信される様子とを説明する図である。
【図２１】図２１は、ＩＥＥＥ８０２．１１方式の無線ＬＡＮのアドホック・モード時における複数の端末間での信号の送受信手順の様子を説明する図である。
【手続補正２０】
【補正対象書類名】明細書
【補正対象項目名】０１４９
【補正方法】変更
【補正の内容】
【０１４９】
１１…アンテナ
１２…共用器
１３…受信処理部
１４…送信処理部
１５…ベースバンド部
１６…インターフェース部
１７…ＭＡＣ部
１８…ＤＬＣ部
ＳＴＡ０，ＳＴＡ１，ＳＴＡ２，ＳＴＡ３，ＳＴＡ４…端末
【手続補正２１】
【補正対象書類名】図面
【補正対象項目名】図１０
【補正方法】変更
【補正の内容】
【図１０】
2005006285.tif 000001